(57)【特許請求の範囲】
【請求項１】
各種コンテンツを受信する受信専用通信インタフェースと、
前記受信された各種コンテンツを分類するコンテンツ分類手段と、
前記分類されたコンテンツを蓄積するコンテンツデータベースと、
所定のデータ通信ネットワークに接続される双方向通信インタフェースと、
事前に用意されたマルチメディア・ハイパーメディアコンテンツのテンプレートを用い、テンプレートに規定されている構成要素コンテンツを前記コンテンツデータベースから抽出して当該テンプレートに挿入するとともに、コンテンツデータベースに含まれない構成要素コンテンツについては情報検索取得手段により取得し、マルチメディア・ハイパーメディアコンテンツを構成するコンテンツ再構成手段と、
前記コンテンツ再構成手段からの指示により、前記双方向通信インタフェースを介して、前記データ通信ネットワークに接続されている情報提供サーバより、構成要素コンテンツを検索し取得し、取得した構成要素コンテンツを前記コンテンツ再構成手段に提供する情報検索取得手段と、
前記マルチメディア・ハイパーメディアコンテンツの構成要素コンテンツが日時の経過とともに情報内容が変動する場合、そのコンテンツが受信専用通信インタフェースより新しく受信され、コンテンツデータベースに追加されたときに、前記マルチメディア・ハイパーメディアコンテンツに前記新しく受信され追加された構成要素コンテンツを追加する処理、あるいは、前記マルチメディア・ハイパーメディアコンテンツの構成要素コンテンツを前記新しく受信され追加された構成要素コンテンツヘ更新する処理を逐次実施するコンテンツ更新手段とを具備する
ことを特徴とするコンテンツ再構成システム。
【請求項２】
各種コンテンツを受信する受信専用通信インタフェースと、
前記受信された各種コンテンツを分類するコンテンツ分類手段と、
前記分類されたコンテンツを蓄積するコンテンツデータベースと、
所定のデータ通信ネットワークに接続される双方向通信インタフェースと、
事前に用意されたマルチメディア・ハイパーメディアコンテンツのテンプレートを用い、テンプレートに規定されている構成要素コンテンツを前記コンテンツデータベースから抽出して当該テンプレートに挿入するとともに、コンテンツデータベースに含まれない構成要素コンテンツについては情報検索取得手段により取得し、マルチメディア・ハイパーメディアコンテンツを構成するコンテンツ再構成手段と、
前記コンテンツ再構成手段からの指示により、前記双方向通信インタフェースを介して、前記データ通信ネットワークに接続されている情報提供サーバより、構成要素コンテンツを検索し取得し、取得した構成要素コンテンツを前記コンテンツ再構成手段に提供する情報検索取得手段と、
受信専用インタフェースあるいは双方向通信インタフェースを介してコンテンツプログラム情報を取得し、マルチメディア・ハイパーメディアコンテンツを構成する時点で、将来、前記受信専用通信インタフェースより受信される予定のコンテンツの中に、前記マルチメディア・ハイパーメディアコンテンツの構成要素コンテンツが含まれるかどうかを前記コンテンツプログラム情報を用いて識別し、該構成要素コンテンツが含まれると識別された場合には、該含まれる構成要素コンテンツを前記マルチメディア・ハイパーメディアコンテンツを構成する未受信構成要素コンテンツとして定義しておき、前記未受信構成要素コンテンツが受信された時点で、コンテンツデータベースに分類、蓄積すると同時に、前記マルチメディア・ハイパーメディアコンテンツの一部として利用する実時間コンテンツ利用手段を具備する
ことを特徴とするコンテンツ再構成システム。
【請求項３】
請求項１、２のいずれか１項記載のコンテンツ再構成システムにおける各手段の機能をコンピュータで実現するためのプログラムを、該コンピュータが読み取り可能な記録媒体に記録した
ことを特徴とするコンテンツ再構成プログラムを記録した記録媒体。
【発明の詳細な説明】
【０００１】
【発明の属する技術分野】
本発明は、データ放送などの広帯域かつ受信専用通信インタフェースと、インターネットなどのデータ通信ネットワークに接続されるＩＳＤＮや電話回線などの双方向通信インタフェースとを具備するＳＴＢ（Ｓｅｔ  Ｔｏｐ  Ｂｏｘ）やＰＣ（Ｐｅｒｓｏｎａｌ  Ｃｏｍｐｕｔｅｒ）等において、前記受信専用インタフェースより受信される映像、音声、音楽、高精細画像などのマルチメディアデータを蓄積し、蓄積したマルチメディアデータを有効に活用し、ＳＴＢおよびＰＣ上で、特定の用途に使用するマルチメディア・ハイパーメディアコンテンツを新たに再構成するとともに、構成したマルチメディア・ハイパーメディアコンテンツを利用するための技術に関する。
【０００２】
【従来の技術】
放送分野において、広帯域な伝送容量を有するＢＳデータ放送などを利用することにより、高品質な映像、音声、および、高精細静止画像、音楽などの情報量の多いメディアを高速に配信することが可能となっている。
【０００３】
また、ＴＶ放送およびデータ放送が受信可能なＳＴＢやＴＶチューナーを内蔵したＰＣ等において、受信されるＴＶ番組視聴中に、データ放送チャネルより受信される静止画やテキストなどの番組付加情報を提供するシステムが開発されている。さらに、データ放送により受信されるコンテンツプログラム情報を利用し、任意の番組をＳＴＢやＰＣに具備されたハードディスクなどの記憶媒体に蓄積しておき、任意の時点において、蓄積された番組を視聴することを可能としたＥＰＧ（Ｅｌｅｃｔｒｏｎｉｃ  Ｐｒｏｇｒａｍ  Ｇｕｉｄｅ）システム等も開発されている。
【０００４】
一方、双方向データ通信の分野では、ＩＰ（Ｉｎｔｅｒｎｅｔ  Ｐａｃｋｅｔ）通信よるデータ通信ネットワーク（以下、「インターネット」という）に対して、ＴＡ（Ｔｅｒｍｉｎａｌ  Ａｄａｐｔｅｒ）やモデムを接続もしくは内蔵したＳＴＢやＰＣから、ＩＳＤＮや電話回線を介して接続することにより、インターネット上の各種情報提供サーバにアクセスし、テキスト、画像などから構成されるマルチメディアコンテンツをＳＴＢやＰＣにダウンロードし、それらを閲覧する技術が普及している。
【０００５】
【発明が解決しようとする課題】
データ放送チャネルは、伝送帯域が広いため、高品質な映像や音声、音楽、高精細な静止画像などの情報量の大きいマルチメディアコンテンツの伝送に適する。しかしながら、放送システムの特性上、放送局側で決定された規定の時系列に従い、すべてのユーザに対して、同一のコンテンツを逐次配信することしかできない。つまり、任意のタイミングで特定にユーザに対して、その要望に応じたコンテンツを提供するということは不可能である。
【０００６】
また、データ放送において、各受信器に配信されるマルチメディアデータは膨大な量であり、ユーザにとって有益な情報も多く含まれている。しかしながら、その全てを、ユーザが視聴することは、ユーザの時間的な拘束、および、ユーザにとって有益な情報がどの番組に含まれるかをユーザが知り得ない場合の存在などから、極めて困難であり、ユーザにとって有益な情報でありながら、ユーザに視聴されることがなく廃棄されてしまう情報が多く存在すると考えられる。
【０００７】
これに対して、ＩＳＤＮや電話回線等を介してインターネットに接続されるＰＣなどにおいては、ユーザの要望に応じて、任意のタイミングで、ユーザが必要とするコンテンツを、インターネット上の各種情報提供サーバから入手することが可能である。しかしながら、ＩＳＤＮや電話回線等を利用するデータ通信は、データ放送に比較して、伝送帯域が狭く、高品質な映像や音声、音楽、高精細な静止画像を入手する場合には、ダウンロードに膨大な時間が必要となることが問題である。
【０００８】
本発明は、上述したようなデータ放送およびＩＳＤＮや電話回線を利用したデータ通信の有する欠点に鑑みてなされたものであり、その課題は、データ放送の受信インタフェースおよびＩＳＤＮや電話回線などの双方向通信インタフェースを有するＳＴＢやＰＣ等の端末において、データ放送により配信される膨大なマルチメディア情報を効率的に利用し、前記ＳＴＢやＰＣを所有するユーザが必要とする、高品質な映像や音声、音楽、高精細な静止画などを含む特定用途用マルチメディア・ハイパーメディアコンテンツを、迅速に構成することと、および、構成した特定用途用マルチメディア・ハイパーメディアコンテンツを有効に活用することを可能とする技術を提供することにある。
【０００９】
【課題を解決するための手段】
上記の課題を解決するため、本発明は、各種コンテンツを受信する受信専用通信インタフェースと、前記受信された各種コンテンツを分類するコンテンツ分類手段と、前記分類されたコンテンツを蓄積するコンテンツデータベースと、所定のデータ通信ネットワークに接続される双方向通信インタフェースと、
事前に用意されたマルチメディア・ハイパーメディアコンテンツのテンプレートを用い、テンプレートに規定されている構成要素コンテンツを前記コンテンツデータベースから抽出して当該テンプレートに挿入するとともに、コンテンツデータベースに含まれない構成要素コンテンツについては情報検索取得手段により取得し、マルチメディア・ハイパーメディアコンテンツを構成するコンテンツ再構成手段と、前記コンテンツ再構成手段からの指示により、前記双方向通信インタフェースを介して、前記データ通信ネットワークに接続されている情報提供サーバより、構成要素コンテンツを検索し取得し、取得した構成要素コンテンツを前記コンテンツ再構成手段に提供する情報検索取得手段と、前記マルチメディア・ハイパーメディアコンテンツの構成要素コンテンツが日時の経過とともに情報内容が変動する場合、そのコンテンツが受信専用通信インタフェースより新しく受信され、コンテンツデータベースに追加されたときに、前記マルチメディア・ハイパーメディアコンテンツに前記新しく受信され追加された構成要素コンテンツを追加する処理、あるいは、前記マルチメディア・ハイパーメディアコンテンツの構成要素コンテンツを前記新しく受信され追加された構成要素コンテンツヘ更新する処理を逐次実施するコンテンツ更新手段とを具備することを特徴とする。
【００１１】
従来の技術では、ユーザの要求に対応したマルチメディア・ハイパーメディアコンテンツを、ユーザの使用するＰＣ上等に構成しようとした場合に、ユーザの要求する全ての構成要素コンテンツを、狭帯域なＩＳＤＮや電話回線などの双方向通信インタフェースを介してインターネット等に接続される各種情報提供サーバからダウンロードする必要があり、高品質な映像、音声など特に情報量の多いメディアを前記マルチメディア・ハイパーメディアコンテンツに組み込むには、ダウンロードに極めて長時間を要することから、高品質な映像、音声など特に情報量の多いメディアを前記マルチメディア・ハイパーメディアコンテンツに組み込むことは現実的ではなかった。
【００１２】
しかし、以上の本発明によれば、双方向通信インタフェースに比較して広帯域な受信用通信インタフェースに受信される高品質な映像、音声などの各種コンテンツをコンテンツデータベースに蓄積しておき、前記マルチメディア・ハイパーメディアコンテンツを構成する際に、コンテンツデータベースに蓄積されている構成要素コンテンツを利用することで、狭帯域な双方向通信インタフェースを介してダウンロードする構成要素コンテンツの量を削減することができるため、迅速に高品質なマルチメディア・ハイパーメディアコンテンツを構成することが可能となる。
【００２２】
この発明によれば、時々刻々と内容が変化するような構成要素コンテンツが、マルチメディア・ハイパーメディアコンテンツに含まれる場合にも、ユーザが前記マルチメディア・ハイパーメディアコンテンツを利用する時点で、常に必要とされる最新の情報を提供することが可能となる。
【００２３】
あるいは本発明は、上記コンテンツ再構成システムにおいて、各種コンテンツを受信する受信専用通信インタフェースと、
前記受信された各種コンテンツを分類するコンテンツ分類手段と、
前記分類されたコンテンツを蓄積するコンテンツデータベースと、
所定のデータ通信ネットワークに接続される双方向通信インタフェースと、
事前に用意されたマルチメディア・ハイパーメディアコンテンツのテンプレートを用い、テンプレートに規定されている構成要素コンテンツを前記コンテンツデータベースから抽出して当該テンプレートに挿入するとともに、コンテンツデータベースに含まれない構成要素コンテンツについては情報検索取得手段により取得し、マルチメディア・ハイパーメディアコンテンツを構成するコンテンツ再構成手段と、
前記コンテンツ再構成手段からの指示により、前記双方向通信インタフェースを介して、前記データ通信ネットワークに接続されている情報提供サーバより、構成要素コンテンツを検索し取得し、取得した構成要素コンテンツを前記コンテンツ再構成手段に提供する情報検索取得手段と、受信専用インタフェースあるいは双方向通信インタフェースを介してコンテンツプログラム情報を取得し、マルチメディア・ハイパーメディアコンテンツを構成する時点で、将来、前記受信専用通信インタフェースより受信される予定のコンテンツの中に、前記マルチメディア・ハイパーメディアコンテンツの構成要素コンテンツが含まれるかどうかを前記コンテンツプログラム情報を用いて識別し、該構成要素コンテンツが含まれると識別された場合には、該含まれる構成要素コンテンツを前記マルチメディア・ハイパーメディアコンテンツを構成する未受信構成要素コンテンツとして定義しておき、前記未受信構成要素コンテンツが受信された時点で、コンテンツデータベースに分類、蓄積すると同時に、前記マルチメディア・ハイパーメディアコンテンツの一部として利用する実時間コンテンツ利用手段を具備することを特徴とする。
【００２４】
この発明によれば、受信専用インターフェースが受信中のコンテンツを、マルチメディア・ハイパーメディアコンテンツの構成要素コンテンツとしてそのまま利用できる。これにより、ユーザは前記マルチメディア・ハイパーメディアコンテンツを利用中に、実時間に放送されているコンテンツを、前記マルチメディア・ハイパーメディアコンテンツの一構成要素コンテンツとして利用することが可能となる。
【００２５】
あるいは本発明は、上記のコンテンツ再構成システムにおける各手段の機能をコンピュータで実現するためのプログラムを、該コンピュータが読み取り可能な記録媒体に記録したことを特徴とする。
【００２６】
この発明によれば、配布されたり保存されたりした記録媒体をコンピュータに読み込ませることで、コンピュータを用いて本発明のコンテンツ再構成システムを実現することが可能となる。
【００２７】
【発明の実施の形態】
以下、本発明のコンテンツ再構成システムの実施形態例について、図１〜図４を用いて説明する。
【００２８】
図１は、以下に示す本発明によるコンテンツ再構成システムの実施形態例を含む通信システムの一構成例を示している。この図の構成例は、コンテンツ再構成システム１０が受信専用通信インタフェース２１として放送局１１のＢＳデータ放送チャネル１６の受信インタフェースを具備し、双方向通信インタフェース２４として電話回線２０に対するデータ通信用インタフェース、すなわち、モデムを具備している場合について示している。
【００２９】
図１の例において、コンテンツ再構成システム１０には、受信専用通信インタフェース２１を介して放送局１１のＢＳデータ放送チャネル１６から、映像、音声を主とした各種マルチメディアコンテンツ１２、および、各コンテンツに付加され、コンテンツの各種属性を示すインデクス情報１８、および、各種コンテンツの放送予定時間を記述したコンテンツプログラム情報１７などが受信される。さらに、双方向通信インタフェース２４と電話回線２０を介してＩＳＰ（Ｉｎｔｅｒｎｅｔ  Ｓｅｒｖｉｃｅ  Ｐｒｏｖｉｄｅｒ）１９に接続することにより、インターネット１３に接続される各情報提供サーバ１４にアクセスし、各情報提供サーバ１４から必要なコンテンツ１５を適時ダウンロードすることができる。また、インターネット１３に接続される各情報提供サーバ１４にデータを送信することもできる。
【００３０】
図２は、本発明によるコンテンツ再構成システムの実施形態例を説明するための概略構成例を示すブロック構成図である。この図の構成例は、本発明によるコンテンツ再構成システムを、受信専用通信インタフェース２１としてＢＳデータ放送チャネル１６の受信インタフェースを具備し、双方向通信インタフェース２４として電話回線２０に対するデータ通信用インタフェースを具備するＰＣ上に実装した場合を仮定しており、出力インタフェース３０にはディスプレイ３２が接続され、入力インタフェース３１には、キーボード、ポインタデバイス３３が接続されるものとしている。
【００３１】
以下に、図２および図３を用いて、本発明によるコンテンツ再構成システムの第一〜第四の実施形態例として、自動車カタログ用マルチメディア・ハイパーメディアコンテンツを構成する際の動作概要を説明する。
【００３２】
まず、ＢＳデータ放送チャネル１６から受信専用通信インタフェース２１により、番組映像音声やＣＭ、音楽、テキストなどの各種マルチメディアコンテンツ１２を受信し、コンテンツ分類手段２２により、コンテンツに付加されているインデクス情報１８、および、コンテンツプログラム情報１７を用いて、コンテンツを分類し、コンテンツデータベース２３に、随時蓄積しておく。
【００３３】
次に、コンテンツ再構成手段２６が、自動車のカタログとしての利用を目的としたマルチメディア・ハイパーメディアコンテンツを構成するために、自動車カタログ用マルチメディア・ハイパーメディアコンテンツの各種構成要素コンテンツ、各コンテンツ配置、各コンテンツ間のリンク情報、および、各コンテンツに施す処理、すなわち、関連する映像の結合処理、画像サイズの変更処理、映像からパノラマ画像への変換処理の実施などを既定した自動車カタログ用マルチメディア・ハイパーメディアコンテンツ・テンプレートを準備する。
【００３４】
図３に、自動車カタログ用マルチメディア・ハイパーメディアコンテンツ・テンプレートの一構成例を示す。
【００３５】
本発明のコンテンツ再構成システムを、自動車カタログ用マルチメディア・ハイパーメディアコンテンツの作成を目的として利用することを意図して開発する場合には、前記自動車カタログ用マルチメディア・ハイパーメディアコンテンツ・テンプレートは、事前にコンテンツ再構成手段２６内に保持されている。
【００３６】
上記以外の場合、前記自動車カタログ用マルチメディア・ハイパーメディアコンテンツ・テンプレートは、本発明のコンテンツ再構成システムに対して、自動車カタログ用マルチメディア・ハイパーメディアコンテンツの作成を指示する際に、入力インタフェース３１を介してコンテンツ再構成手段２６に入力される。
【００３７】
次に、コンテンツ再構成手段２６は、コンテンツデータベース２３に含まれる自動車のＣＭ、および、ＣＭに付加されて受信されたＣＭ母体商品である自動車の価格などの仕様を記載したテキストデータ、自動車の画像などの構成要素コンテンツを抽出するとともに、関連映像の結合、画像サイズの変更、パノラマ画像への変換などの処理を各構成要素コンテンツに施したうえ、前記自動車カタログ用マルチメディア・ハイパーメディアコンテンツ・チンプレートヘ挿入し、自動車カタログ用マルチメディア・ハイパーメディアコンテンツを構成していく。
【００３８】
この際、前記自動車カタログ用マルチメディア・ハイパーメディアコンテンツ・テンプレートにおいて、各自動車の価格情報を挿入することが規定されており、かつ、ある自動車Ａに関して、その自動車ＡのＣＭ付加情報に自動車Ａの価格情報が含まれていなかったとする。
【００３９】
このような場合、コンテンツ再構成手段２６は、情報検索取得手段２５に対して、自動車Ａの価格情報を取得することを指示し、情報検索取得手段２５は、電話回線２０を利用する双方向通信インタフェース２４を介してインターネットにアクセスし、インターネット上の情報提供サーバから、自動車Ａの価格情報を取得し、コンテンツ再構成手段２６に提供し、コンテンツ再構成手段２６は、情報検索取得手段２５から提供された自動車Ａの価格情報を、前記自動車カタログ用マルチメディア・ハイパーメディアコンテンツ・テンプレートに挿入する。
【００４０】
コンテンツ再構成手段２６は、前記自動車カタログ用マルチメディア・ハイパーメディアコンテンツ・テンプレートに挿入することが規定されており、かつ、コンテンツデータベース２３中に存在しない情報について、上述した手順で、インターネット上の情報提供サーバから収集していくことにより、最終的に、自動車カタログ用マルチメディア・ハイパーメディアコンテンツ全体を構成する。
【００４１】
コンテンツ再構成手段２６により構成された前記自動車カタログ用マルチメディア・ハイパーメディアコンテンツは、マルチメディア・ハイパーメディアコンテンツ制御手段２９に送られ、マルチメディア・ハイパーメディアコンテンツ制御手段２９は、出力インタフェース３０に接続されるディスプレイ３２に前記自動車カタログ用マルチメディア・ハイパーメディアコンテンツを表示する。
【００４２】
図２の例では、出力インタフェース３０はディスプレイ３２に接続することを仮定しているが、このコンテンツ再構成システムは、複数の出力インタフェース３０を有することが可能であり、ディスプレイ以外に、メモリーカードなどの各種可搬性記憶媒体、各種携帯端末、スピーカ、あるいは、シリアル回線などを介して信号を送信することにより動作を制御するロボットなど、各種装置へのデータ出力インタフェース３０を有することができる。
【００４３】
これにより、例えば、コンテンツ再構成手段により構成された特定用途用マルチメディア・ハイパーメディアコンテンツ全体もしくはその一部を、メモリーカードに出力して、他のＰＣ端末などで利用することや、ブラウザ機能を有する携帯端末に出力して、屋外で利用することなどが可能となる。
【００４４】
また、特定用途用マルチメディア・ハイパーメディアコンテンツの構成要素コンテンツとして、ディスプレイを利用して表現される映像、画像、テキスト、および、スピーカを利用して表現される音声、音楽、等のメディアに加え、前記出力インタフェース３０に接続されるロボットの動作等を含むことが可能である。
【００４５】
本発明の第二の実施形態例では、マルチメディア・ハイパーメディアコンテンツ制御手段２９は、入力インタフェース３１より入力されるユーザ操作、すなわち、前記自動車カタログ用マルチメディア・ハイパーメディアコンテンツに対する第一の制御情報に対応して、ディスプレイ３２に表示する前記自動車カタログ用マルチメディア・ハイパーメディアコンテンツの形態をインタラクティブに変更する処理を行なう。
【００４６】
すなわち、マルチメディア・ハイパーメディアコンテンツ制御手段２９は、マルチメディア・ハイパーメディアコンテンツブラウザとしての機能を提供することができる。
【００４７】
本発明の第三の実施形態例では、マルチメディア・ハイパーメディアコンテンツ制御手段２９が、コンテンツ再構成手段２６により構成された前記自動車カタログ用マルチメディア・ハイパーメディアコンテンツ全体もしくは前記自動車カタログ用マルチメディア・ハイパーメディアコンテンツの一部を、前記双方向通信インタフェース２４に受信される第二の制御情報に対応して発信する機能を有する。
【００４８】
したがって、これによれば、インターネットに接続される他の端末から、本発明のコンテンツ再構成システムにアクセスし、前記自動車カタログ用マルチメディア・ハイパーメディアコンテンツの内容をインタラクティブに閲覧することが可能である。
【００４９】
すなわち、前記双方向通信インタフェース２４を介して接続される所定のデータ通信ネットワークが、インターネットである場合には、マルチメディア・ハイパーメディアコンテンツ制御手段２９は、ＷＷＷ（Ｗｏｒｌｄ  Ｗｉｄｅ  Ｗｅｂ）サーバとしての機能を提供する。
【００５０】
さらに、本発明の第四の実施形態例では、マルチメディア・ハイパーメディアコンテンツ制御手段２９が、前記入力インタフェース３１から入力される第一の制御情報、および、前記双方向受信インタフェース２４から受信される第二の制御情報の発生状況と内容を記述した制御ログを、記録しておき、前記双方向受信インタフェース２４から、インターネットに接続される任意のサーバヘ送信する機能を有する。
【００５１】
上記の機能を有することで、ユーザの操作履歴である制御ログを解析することにより、ユーザが必要としている情報を特定する機能を有したサーバ（「制御ログ解析サーバ」）に、マルチメディア・ハイパーメディアコンテンツ制御手段２９から制御ログを送信し、前記自動車カタログ用マルチメディア・ハイパーメディアコンテンツ・テンプレートでは、構成要素コンテンツとして規定されていないが、ユーザが必要としているコンテンツを特定し、新たに、前記自動車カタログ用マルチメディア・ハイパーメディアコンテンツ・テンプレートの構成要素コンテンツとして追加することにより、適応的に、よりユーザニーズに即したカタログ用マルチメディア・ハイパーメディアコンテンツを構成するといった処理が可能となる。
【００５２】
以下に、図２および図４を用いて、本発明によるコンテンツ再構成システムの第五、第六の実施形態例として、プロ野球情報提供用マルチメディア・ハイパーメディアコンテンツを構成する際の動作概要を説明する。
【００５３】
まず、ＢＳデータ放送チャネル１６から受信専用通信インタフェース２１により、番組映像音声やＣＭ、音楽、テキストなどの各種マルチメディアコンテンツ１２を受信し、コンテンツ分類手段２２により、コンテンツに付加されているインデクス情報１８、および、コンテンツプログラム情報１７を用いて、コンテンツを分類し、コンテンツデータベース２３に、随時蓄積しておく。次に、コンテンツ再構成手段２６が、プロ野球情報提供用マルチメディア・ハイパーメディアコンテンツを構成するために、プロ野球情報提供用マルチメディア・ハイパーメディアコンテンツの各種構成要素コンテンツ、および、その配置などを規定したプロ野球情報提供用マルチメディア・ハイパーメディアコンテンツ・テンプレートを準備する。
【００５４】
図４に、プロ野球情報提供用マルチメディア・ハイパーメディアコンテンツ・テンプレートの一構成例を示す。
【００５５】
本発明のコンテンツ再構成システムを、プロ野球情報提供用マルチメディア・ハイパーメディアコンテンツの作成を目的として利用することを意図して開発する場合には、前記プロ野球情報提供用マルチメディア・ハイパーメディアコンテンツ・テンプレートは、事前にコンテンツ再構成手段２６内に保持されている。
【００５６】
上記以外の場合、前記プロ野球情報提供用マルチメディア・ハイパーメディアコンテンツ・テンプレートは、本発明のコンテンツ再構成システムに対して、プロ野球情報提供用マルチメディア・ハイパーメディアコンテンツの作成を指示する際に、入力インタフェース３１を介してコンテンツ再構成手段２６に入力される。
【００５７】
コンテンツ再構成手段２６は、前述した自動車カタログ用マルチメディア・ハイパーメディアコンテンツ構成時の動作例と同様の手順により、前記プロ野球情報提供用マルチメディア・ハイパーメディアコンテンツ・テンプレートに規定されている構成要素コンテンツを、コンテンツデータベース２３から抽出するともに、各コンテンツに適当な処理を施し、前記プロ野球情報提供用マルチメディア・ハイパーメディアコンテンツ・テンプレートに挿入するとともに、コンテンツデータベース２３中に含まれない情報については、情報検索取得手段２５により取得し、プロ野球情報提供用マルチメディア・ハイパーメディアコンテンツ全体を構成する。
【００５８】
ここで、前記プロ野球情報提供用マルチメディア・ハイパーメディアコンテンツ・テンプレートには、各チームの順位情報をその構成要素コンテンツとして含むことが規定されているものとする。各チームの順位情報は、試合が消化される度に、すなわち、日時が経過するとともに情報内容が変動する。本発明の第三の実施形態例のコンテンツ再構成システムに具備されるコンテンツ更新手段２７は、コンテンツデータベース２３に、最新の各チームの順位情報が蓄積された時点で、前記プロ野球情報提供用マルチメディア・ハイパーメディアコンテンツ内の各チームの順位情報を更新する処理を行なう。
【００５９】
また、前記プロ野球情報提供用マルチメディア・ハイパーメディアコンテンツ・テンプレートには、各試合の映像をその構成要素コンテンツとして含むことが規定されているものとする。
【００６０】
この場合、既に放送された試合の映像は、コンテンツデータベース２３中に含まれるので、前述した手順で、コンテンツ再構成手段２６およびコンテンツ更新手段２７により、前記プロ野球情報提供用マルチメディア・ハイパーメディアコンテンツ・テンプレートに随時挿入される。
【００６１】
本発明の第六の実施形態例のコンテンツ再構成システムでは、実時間コンテンツ利用手段２８が具備される。実時間コンテンツ利用手段２８は、前記プロ野球情報提供用マルチメディア・ハイパーメディアコンテンツを作成した時点で、まだ放送されていない試合映像に関しては、前記コンテンツプログラム情報を用いて放送予定時間を確認し、未受信要素コンテンツとして、前記プロ野球情報提供用マルチメディア・ハイパーメディアコンテンツ・テンプレート上に定義しておく。
【００６２】
実時間コンテンツ利用手段２８は、試合映像Ａが、未受信要素コンテンツとして定義されており、試合映像Ａが放送されている時点で、ユーザが、出力インタフェース３０に接続されるディスプレイ３２により、前記プロ野球情報提供用マルチメディア・ハイパーメディアコンテンツを視聴しており、さらに、試合映像Ａにアクセスした場合に、その時点で実時間に受信されている試合映像Ａを、前記プロ野球情報提供用マルチメディア・ハイパーメディアコンテンツの一部として提示する処理を行なう。すなわち、通常のＴＶ野球中継をそのままプロ野球情報提供用マルチメディア・ハイパーメディアコンテンツの一部として利用する処理を行なう。
【００６３】
なお、図１で示した装置各部の一部もしくは全部の機能を、コンピュータを用いて実現することができることは言うまでもなく、コンピュータでその各部の機能を実現するためのプログラムを、そのコンピュータが読み取り可能な記憶媒体、例えば、ＦＤ（フロッピーディスク）や、ＭＯ、ＲＯＭ、メモリカード、ＣＤ、ＤＶＤ、リムーバブルディスクなどに記録し、提供し、配布することが可能である。
【００６４】
【発明の効果】
以上、本発明によれば、データ放送チャネルなどの受信専用通信インタフェースおよびＩＳＤＮや電話回線などの双方向通信インタフェースを有するＳＴＢやＰＣ等において、データ放送チャネルにより逐次配信される膨大なデータに含まれる映像、音声、高精細な静止画などの情報量の大きいマルチメディアコンテンツを、コンテンツデータベースに蓄積しておくことにより、ユーザが、特定の用途に使用することを目的とした、高品質な映像や音声、音楽、高精細な静止画などから構成されるマルチメディア・ハイパーメディアコンテンツを必要とする場合に、電話回線等の低速な回線を用いてインターネット等に接続し、前記マルチメディア・ハイパーメディアコンテンツの構成要素コンテンツを取得し、構成する場合に比較して、極めて迅速に、目的とするマルチメディア・ハイパーメディアコンテンツを構成し活用に供することができる。
【００６５】
また、構成した前記マルチメディア・ハイパーメディアコンテンツを、前記双方向通信インタフェースを介して接続される所定のデータ通信ネットワーク上の端末から利用するなど、前記マルチメディア・ハイパーメディアコンテンツを効果的に活用することができる。
【００６６】
また、データ放送チャネルなどより新しいコンテンツが受信され前記コンテンツデータベースに追加されるごとに、適時、前記マルチメディア・ハイパーメディアコンテンツを更新できることで、常に最新の情報を、ユーザの利用目的に適した形態で提供することができる。
【００６７】
また、データ放送チャネルなどより受信中のコンテンツを、前記マルチメディア・ハイパーメディアコンテンツの構成要素コンテンツとして扱えることにより、実時間に放送中のコンテンツに関しても、ユーザの利用目的に適した形態で提供することができる。
【図面の簡単な説明】
【図１】本発明によるコンテンツ再構成システムの実施形態例を含む通信システム全体の構成例を示す図である。
【図２】本発明によるコンテンツ再構成システムの実施形態例の概略構成を示すブロック構成図である。
【図３】本発明の第一〜第四の実施形態例における自動車カタログ用マルチメディア・ハイパーメディアコンテンツ・テンプレートの一構成例を示す図である。
【図４】本発明の第五、第六の実施形態例におけるプロ野球情報提供用マルチメディア・ハイパーメディアコンテンツ・テンプレートの一構成例を示す図である。
【符号の説明】
１０…コンテンツ再構成システム
１１…放送局
１２…マルチメディアコンテンツ
１３…インターネット
１４…情報提供サーバ
１５…コンテンツ
１６…ＢＳデータ放送チャネル
１７…コンテンツプログラム情報
１８…マルチメディアインデクス情報
１９…ＩＳＰ（Ｉｎｔｅｒｎｅｔ  Ｓｅｒｖｉｃｅ  Ｐｒｏｖｉｄｅｒ）
２０…電話回線
２１…受信専用通信インタフェース
２２…コンテンツ分類手段
２３…コンテンツデータベース
２４…双方向通信インタフェース２４
２５…情報検索取得手段
２６…コンテンツ再構成手段
２７…コンテンツ更新手段
２８…実時間コンテンツ利用手段
２９…マルチメディア・ハイパーメディアコンテンツ制御手段
３０…出力インタフェース
３１…入力インタフェース
３２…ディスプレイ
３３…キーボード、ポインタデバイス
【図１】
0003757084.tif 000002
【図２】
0003757084.tif 000003
【図３】
0003757084.tif 000004
【図４】
0003757084.tif 000005